(57)【要約】【課題】  夏季の熱気や湿気等による寝苦しい不快感を大幅に改善することができる温熱治療器を提供する。【解決手段】  上面に複数の吸気孔５を有し、下面に通風口９を有し、内部に立体格子空間材Ａ３および緩衝体１を有する寝具本体６と、まくら素材１８の外郭に立体格子空間材Ｂ２０ａを有するとともに、この立体格子空間材Ｂ２０ａと連通する風路Ａ３１と、この風路Ａ３１に接続するホース２７を有するまくら１７と、前記寝具本体６を載置する面に吸気口１３を有するとともに側面または下面に排気口１２を有する送風ユニット１１と、前記ホース２７を接続可能とするホース口２９ｂと、このホース口２９ｂと送風ユニット１１間を連通する風路２６とを有する寝台１０とで構成する。【選択図】  図１
2005204853.tif 000002
【特許請求の範囲】
【請求項１】
上面に複数の吸気孔（５）を有し、下面に通風口（９）を有し、内部に立体格子空間材Ａ（３）および緩衝体（１）を有する寝具本体（６）と、まくら素材（１８）の外郭に立体格子空間材Ｂ（２０ａ）を有するとともに、この立体格子空間材Ｂ（２０ａ）と連通する風路Ａ（３１）と、この風路Ａ（３１）に接続するホース（２７）を有するまくら（１７）と、前記寝具本体（６）を載置する面に吸気口（１３）を有するとともに、側面または下面に排気口（１２）を有する送風ユニット（１１）と、前記ホース（２７）を接続可能とするホース口（２９ｂ）と、このホース口（２９ｂ）と送風ユニット（１１）間を連通する風路（２６）とを有する寝台（１０）とで構成され、前記寝具本体（６）を寝台（１０）に載置するとともに、まくら（１７）を寝具本体（６）に載置し、ホース（２７）をホース口（２９ｂ）に接続し、寝具本体（６）の吸気孔（５）から立体格子空間材Ａ（３）と、通風口（９）と、吸気口（１３）を介して吸気する空気と、まくら（１７）の立体格子空間材Ｂ（２０ａ）から風路Ａ（３１）と、ホース（２７）と、ホース口（２９ｂ）と、風路（２６）を介して吸気する空気を送風ユニット（１１）により排気口（１２）から寝台（１０）外に排気することを特徴とする温熱治療器。
【請求項２】
寝具本体（６）内部に発熱体（２）を設けたことを特徴とする請求項１記載の温熱治療器。
【請求項３】
寝具本体（６）内部に電位線（２ｂ）を設けたことを特徴とする請求項１、２記載の温熱治療器。
【発明の詳細な説明】
【技術分野】
【０００１】
本発明は、季節に応じて快適な睡眠環境を得ることが出来るとともに、温熱治療と電位治療の効果を有する温熱治療器に関するものである。
【背景技術】
【０００２】
従来、この種の温熱治療器は、寝具表布の下部に空間材を設けるとともに、吸気ユニットを設け、吸気ユニットを作動させて寝具表布から寝具表面の空気を吸気して、人体からの熱気や湿気等を寝具外に放出し夏季において寝床内の温度と湿度が高い不快な寝床環境を快適にするものが提案されている（例えば、特許文献１参照）。
【０００３】
【特許文献１】特開２００２−７８５７０号公報
【発明の開示】
【発明が解決しようとする課題】
【０００４】
しかしながら、上記従来の温熱治療器は寝具上面の人体周囲の熱や湿度を含んだ空気を吸気し寝具外に放出して不快な寝床環境を改善することができるが、寝具の上に載せたまくらの部分はまくらに邪魔されて吸気できず、人体の頭の周辺は熱や湿気が籠もり不快感が改善されていなかった。
【課題を解決するための手段】
【０００５】
本発明は上記の問題を解決するためになされたものであり、請求項１は上面に複数の吸気孔を有し、下面に通風口を有し、内部に立体格子空間材Ａおよび緩衝体を有する寝具本体と、まくら素材の外郭に立体格子空間材Ｂ有するとともに、この立体格子空間材Ｂと連通する風路Ａと、この風路Ａに接続するホースを有するまくらと、前記寝具本体を載置する面に吸気口を有するとともに、側面または下面に排気口を有する送風ユニットと、前記ホースを接続可能とするホース口と、このホース口と送風ユニット間を連通する風路とを有する寝台とで構成され、前記寝具本体を寝台に載置するとともに、まくらを寝具本体に載置し、ホースをホース口に接続し、寝具本体の吸気孔から立体格子空間材Ａ、と通風口と、吸気口を介して吸気する空気と、まくらの立体格子空間材Ｂから風路Ａと、ホースと、ホース口と、風路を介して吸気する空気を送風ユニットにより排気口から寝台外に排気するものである。
【０００６】
請求項２は寝具本体内部に発熱体を設けたものである。
【０００７】
請求項３は寝具本体内部に電位線を設けたものである。
【発明の効果】
【０００８】
本発明の温熱治療器は、上記のように構成したことにより請求項１では寝具本体に仰臥した人の背中部や頭の周辺から熱気や湿気を寝台に設けた送風ユニットにより吸気して寝台の外に放出できるので夏季の寝苦しい不快感を大幅に改善することができる。
【０００９】
また、送風ユニットを寝台に設けたことにより、寝具本体に電源コードやコントローラが接続されないためベッドメイク時や寝具本体の取り扱いが非常にやりやすい。
【００１０】
また、送風ユニットを寝台に設けたことにより、送風ユニットの動作時の振動や騒音が寝具本体に仰臥した人に伝わりにくいため快適に睡眠することができる。
【００１１】
また、まくらの立体格子空間材Ｂの連通した空気層から風路Ａと、ホースと、風路を介して送風ユニットにより吸気するように構成したことにより、まくらの上面部分から効率よく吸気する事が出来るため頭部の熱気や湿気を吸気する能力が高く気持ちよく睡眠することができる。
【００１２】
また、請求項２では夏季の寝苦しい不快感を送風ユニットを通電して寝具本体に仰臥した人の背中部や頭の周辺から熱気や湿気を吸気し寝台外に排気することにより改善することができるとともに、冬季には送風ユニットの通電を止め寝具本体の発熱体に通電して寝具本体に仰臥した人に熱を加えることにより寝ながらにして温熱効果により健康づくりを行うことができるため、オールシーズンを有益に使用することができる。
【００１３】
また、請求項３では夏季の寝苦しい不快感を送風ユニットを通電して寝具本体に仰臥した人の背中部や頭の周辺から熱気や湿気を吸気し寝台外に排気することにより改善することができるとともに、寝具本体内部の電位線にマイナスの高電位を印加し、寝具本体に仰臥した人に電位治療を行うことにより人体の体内バランスを良くし、慢性便秘や頭痛、不眠症、肩こり等を改善することができるため、寝ながらにして健康づくりを行うことができる。
【発明を実施するための最良の形態】
【００１４】
以下、本発明の一実施例を図１〜図７を参照して説明する。図１は本発明の一実施例を説明する温熱治療器の斜視図、図２は同じく寝具本体からまくらを除いた状態の斜視図、図３は同じく外郭カバーを外した状態の寝具本体の斜視図、図４は同じく寝台の斜視図、図５は同じく寝具本体に人が仰臥した状態の縦断面図、図６は同じく寝具本体に載置して使用するまくらの斜視図、図７は同じくまくらの破断斜視図である。
【００１５】
図において、１は寝具として使用可能な緩衝体で、この上に人が仰臥する。
【００１６】
２は緩衝体１の上面に載せられた発熱体で、コード状のヒータよりなり、保持シートで保持されていて、緩衝体１に人が仰臥したとき腰から下の部分が密になるように蛇行して配置されており、そのヒータに通電することにより頭寒足熱となるように暖房することができる。また、この発熱体２のヒータの内部には図示しないがヒータ線と信号線がスパイラル状にプラスチックサーミスタの感熱層を挟んで巻き付けられていて、この感熱層のインピーダンス変化を後記する制御部１４の制御回路で検出して発熱体２の温度制御を行っている。
【００１７】
２ｂは電位線で発熱体２のヒータ内部に絶縁層を介しヒータ線と信号線から絶縁して配設されていて、この電位線２ｂにマイナスの高電位を印加して、緩衝体１に仰臥した人に対し電位治療を行うものである。
【００１８】
３は発熱体２の上面に載せられた立体格子空間材Ａで、プラスチック製の糸を多数編みこんだ三次元構造繊維素材で構成してあり、これにより連通した空気層が形成されていて通気性と放湿性に優れ、またこの上に仰臥した人の体圧を分散することができるものである。
【００１９】
４は袋状のカバーで、緩衝体１と発熱体２と立体格子空間材Ａ３の全体を覆っていて、通気性が制限された不織布などの素材で構成してある。
【００２０】
５はカバー４に開けられた吸気孔で、緩衝体１に人が仰臥したとき腰から背中にかけての上半身部分に適当な間隔で複数個開けられている。
【００２１】
６はカバー４で覆われ寝具として使用可能な寝具本体で、前記したように上面に複数の吸気孔５を有し、下面に通風口９を有し、内部には立体格子空間材Ａ３と、発熱体２と、緩衝体１を有している。
【００２２】
７は外郭カバーで、寝具として外観を良くし商品性を高めるためにカバー４の上からさらに覆っているものである。
【００２３】
８は外郭カバー７に開けられた吸気部で、メッシュ状になっていて、カバー４に開けられた吸気孔５の上を覆う位置に設けられ、ここから寝具本体６の表面の空気を吸気する。
【００２４】
９はカバー４に開けられた通風口で、寝具本体６の下面に設けられ、前記吸気孔５とは空気が流通するように構成されていて、通風口９と立体格子空間材Ａ３の間に介在する緩衝体１と発熱体２には予め空気が流通するように通気性の良好な素材や切りかけ部等で構成した開口部４６が設けられている。そして、カバー４を覆う外郭カバー７の通風口９を覆う位置には、空気が流通できるようにメッシュ状に形成してある。
【００２５】
１０は寝台で、寝具本体６を寝台１０の上に載置して使用する。
【００２６】
１１は送風ユニットで、寝台１０に設けられている。
【００２７】
１２は排気口で、寝台１０の側面に設けられていて送風ユニット１１で吸気した空気を寝台１０の外部に排気している。ただし、排気口１２は側面以外の下面に設けてもよい。
【００２８】
１３は寝台１０の上面に設けられた吸気口で、ここから送風ユニット１１は吸気をしている。そして、吸気口１３は寝具本体６を寝台１０に載置した時、寝具本体６のカバー４に開けられた通風口９と重なる面の位置に設けられている。
【００２９】
１４は制御部で、寝台１０に設けられていて、送風ユニット１１の通電や、発熱体２の通電を制御する。また、発熱体２の電位線に印加するマイナスの高電位を発生する回路を内蔵しこのマイナス高電位の通電を制御している。
【００３０】
１５はコントローラで、制御部１４と接続されていて、送風ユニット１１と発熱体２と電位線へのマイナスの高電位印加の通電状態を任意で設定できるように操作することができるものであり、タイマー動作や、ヒータの設定温度や、電位線のマイナス高電位のオン・オフや、送風ユニット１１の強弱運転等を設定することができる。
【００３１】
１６は電源コードで、制御部１４に電源を供給している。１７は寝具本体６に載せられるまくらである。
【００３２】
１８はまくら素材で、クッション性の良い低反発ポリウレタンフォームで構成され、詳細は上部分割部１８ｂと、下部分割部１８ｃとに分割され、下部分割部１８ｃには、それぞれ凹部１８ｇが形成してある。また、前記上部分割部１８ｂには複数の通気口１９が貫通して開いている。
【００３３】
２０ｂは立体格子空間材Ｃで、プラスチック製の糸を多数編み込んで構成してあり、これにより連通した空気層が形成されていて、前記まくら素材１８の下部分割部１８ｃに設けた凹部１８ｇに載置してある。
【００３４】
２８は吸気ホルダーで、まくら素材１８の下部分割部１８ｃに設けた凹部１８ｇに載置してある前記立体格子空間材Ｃ２０ｂの一方の端部を挟持する如く載置してある。
【００３５】
１７ａはまくら本体で、まくら素材１８の下部分割部１８ｃに設けた凹部１８ｇに立体格子空間材Ｃ２０ｂ載置し、この立体格子空間材Ｃ２０ｂの一方の端部を挟持するが如く吸気ホルダー２８を載置した後、前記立体格子空間材Ｃ２０ｂの周囲を前記分割されたまくら素材１８を接着等の手段により貼り合わせ密閉して形成したものである。
【００３６】
２０ａは立体格子空間材Ｂで、プラスチック製の糸を多数編み込んで構成してあり、これにより連通した空気層が形成されていて、前記まくら本体１７ａの外郭の上部を覆うように載置してあり、プラスチック製の糸を多数編み込んで構成してあり、これにより連通した空気層が形成されている。また、立体格子空間材Ｂ２０ａはプラスチック製の糸を多数編み込んで構成してあるため、切断面からは織り糸の切断面が多数突出しているので、けが防止用として折り込み密度の高い材料で作成したシール２１で外周端部を包囲して縫製固定し、はみ出し防止を計っている。
【００３７】
２２はニット製の通気性の良い中袋で、まくら本体１７ａと、このまくら本体１７ａの上部を覆うように載置した立体格子空間材Ｂ２０ａを収納している。
【００３８】
２３はニット製のまくらカバーで、肌触りが良く、また通気性が良いものであり、前記中袋２２及び中袋２２内に収納されたまくら本体１７ａと立体格子空間材Ｂ２０ａを収納している。
【００３９】
２６は風路で、寝台１０に設けられていて、一端は送風ユニット１１に接続され、他端は寝台に人が仰臥したときの頭の位置に近い寝台部分に在り、その風路２６の先端にはホース口２９ｂが設けられていて、ホース口２９ｂと送風ユニット１１間を連通している。このように送風ユニット１１は前記吸気口１３の他に風路２６を通しても吸気している。
【００４０】
２７はホースで、ポリプロン製の折り曲げ自在のもので、この中を空気が流通する。
【００４１】
２９ａはホース口で、まくら１７の吸気ホルダー２８と一体に設けられている。
【００４２】
３０はホースホルダーで、ホース２７の両端に設けてあり、まくら１７のホース口２９ａと寝台１０のホース口２９ｂに着脱自在に接続可能とし、両者を接続することができる。
【００４３】
３１は風路Ａで、まくら素材１８に開けられた通気孔１９と、立体格子空間材Ｃ２０ｂの連通する空気層と、立体格子空間材Ｃ２０ｂの一方の端部を挟持している吸気ホルダー２８と、吸気ホルダー２８と一体に設けられているホース口２９ａとで構成した空気の流通する風路であり、立体格子空間材Ｂ２０ａと連通していてまくら１７の上面の空気は立体格子空間材Ｂ２０ａと、風路Ａ３１を通して流通することができるものである。
【００４４】
次に以上の構成による作用を説明する。
【００４５】
まず、寝具本体６を吸気部８を上面にし、下面にある通風口９が寝台１０の吸気口１３に重なるように寝台１０に載置する。
【００４６】
次に、まくら１７を寝具本体６の上面の所定位置に載置し、まくら１７のホース口２９ａと寝台１０のホース口２９ｂを連通するようにホース２７のホースホルダー３０を夫々に接続する。
【００４７】
次に電源コード１６を電源に差込み、コントローラ１５を操作して運転を開始する。
【００４８】
そして、暑い夏場は電位治療機能と清涼機能を働かすか、または清涼機能のみ働かせるようにコントローラ１５を操作して涼しく快適に睡眠できるようにする。
【００４９】
そして、清涼機能を働かすと、送風ユニット１１が通電され送風ユニット１１の吸気により寝具本体６に仰臥した人体の腰から上の背中部に設けられた吸気孔５から立体格子空間材Ａ３と、開口部２５と、通風口９と、吸気口１３とを介して空気を吸気して排気口１２から寝具本体６の外部に排気し、人体からの熱気や湿気等を寝具本体６外に放出し夏季において寝床内の温度と湿度が高い不快な寝床環境を快適にする。
【００５０】
また、同様にまくら１７に設けた立体格子空間材Ｂ２０ａから風路Ａ３１と、ホース２７と、ホース口２９ｂと、風路２６を介してまくら１７に乗せた頭の周辺の空気を送風ユニット１１が吸気して排気口１２から排気することにより、爽やかな涼風が頭や顔の周り全体をゆっくり流れ、頭部周辺の熱を奪うので夏の暑い夜に頭部が汗でべとついたりしないで涼しく寝ることができる。
【００５１】
また、電位治療だけを行う場合は送風ユニット１１は通電せず、発熱体２の電位線２ｂにマイナスの高電位を印加して、寝具本体６上に仰臥した人体の電位治療を行うように制御し、主に体内バランスを良くし、慢性便秘や頭痛や不眠症、肩こり等の効果効能を得る。
【００５２】
また、寒い冬場は温熱治療機能と電位治療機能を働かすか、または温熱のみで適温で快適に睡眠できるようにし、送風ユニット１１は通電しないように制御する。
【００５３】
したがって、寝具本体６に仰臥した人の腰から上の背中部や頭の周辺から熱気や湿気を送風ユニット１１により吸気して寝具本体６外に放出できるので夏季の寝苦しい不快感を改善することができる。
【００５４】
また、送風ユニット１１を寝台１０に設けたことにより、寝具本体６には電源コードやコントローラが接続されないためベッドメイク時や取り扱いが非常にやりやすい。
【００５５】
また、送風ユニット１１を寝台１０に設けたため送風ユニットの動作時の振動や騒音が寝具本体６に仰臥した人に伝わりにくいため騒音を気にすること無く眠ることができる。
【００５６】
また、夏季の寝苦しい不快感を送風ユニット１１を通電して寝具本体６に仰臥した人の背中部や頭の周辺から熱気や湿気を吸気し寝台１０外に排気することにより改善することができるとともに、冬季には送風ユニット１１の通電を止め寝具本体６の発熱体２に通電して寝具本体６に仰臥した人に熱を加えることにより寝ながらにして温熱効果により健康づくりを行うことができるため、オールシーズンを有益に使用することができる。
【００５７】
また、夏季の寝苦しい不快感を送風ユニット１１を通電して寝具本体６に仰臥した人の背中部や頭の周辺から熱気や湿気を吸気し寝台１０外に排気することにより改善することができるとともに、寝具本体６内部の電位線２ｂにマイナスの高電位を印加し、寝具本体に仰臥した人に電位治療を行うことにより人体の体内バランスを良くし、慢性便秘や頭痛、不眠症、肩こり等を改善することができるため、寝ながらにして健康づくりを行うことができる。
【００５８】
なお、本発明は上記実施例に限定されるものではなく、以下のような拡張または変更が可能である。発熱体２はヒータのみとし、温熱治療効果と清涼効果を有するように構成しても良い。また、発熱体２は電位線のみとし、電位治療効果と清涼効果を有するように構成しても良い。また、発熱体２を有しない構成にして清涼機能だけ有する構成にしても良い。
【図面の簡単な説明】
【００５９】
【図１】本発明の一実施例を説明する温熱治療器の斜視図である。
【図２】同じく寝具本体からまくらを除いた状態の斜視図である。
【図３】同じく外郭カバーを外した状態の寝具本体の斜視図である。
【図４】同じく寝台の斜視図である。
【図５】同じく寝具本体に人が仰臥した状態の縦断面図である。
【図６】同じく寝具本体に載置して使用するまくらの斜視図である。
【図７】同じくまくらの破断斜視図である。
【符号の説明】
【００６０】
１      緩衝体
２      発熱体
２ｂ    電位線
３      立体格子空間材Ａ
５      吸気孔
６      寝具本体
９      通風口
１０    寝台
１１    送風ユニット
１２    排気口
１３    吸気口
１７    まくら
１８    まくら素材
１９    通気孔
２０ａ  立体格子空間材Ｂ
２６    風路
２７    ホース
２９ｂ  ホース口
３１    風路Ａ
【図１】
2005204853.tif 000003
【図２】
2005204853.tif 000004
【図３】
2005204853.tif 000005
【図４】
2005204853.tif 000006
【図５】
2005204853.tif 000007
【図６】
2005204853.tif 000008
【図７】
2005204853.tif 000009